(57)【特許請求の範囲】
【請求項１】
複数の原稿画像を縮小し１頁に集約する機能を備えた画像形成装置において、
原稿周辺部の余白除去幅を指定する入力手段と、
該複数の原稿画像の各々について周辺部を該余白除去幅に基づきオミットして主部の画像データを取得し、該画像データを縮小し１頁の画像配置領域に集約した画像データを得る画像処理手段と、
を有することにより、原稿画像に対する印刷画像の縮小率μを該余白除去幅が零の場合の縮小率μ０より大きな値にすることを特徴とする画像形成装置。
【請求項２】
画像処理手段は、該入力手段により入力された該余白除去幅が原稿周辺部の横方向又は縦方向の一方の方向における共通除去幅ａである場合、原稿の該一方の方向の幅Ｌ及び他方の方向の幅Ｍに対し、縮小率μをμ＝μ０｛Ｌ／（Ｌ−２ａ）｝と決定し、該他方の方向における共通除去幅ｂをｂ＝ａ・Ｍ／Ｌと決定し、該複数の主部の画像データを該縮小率μで縮小し１頁に集約した画像データを得る、
ことを特徴とする請求項１に記載の画像形成装置。
【請求項３】
画像処理手段は、該入力手段により入力された該余白除去幅が原稿周辺部の横方向又は縦方向の一方の方向における２つの余白除去幅ａ１及びａ２である場合、原稿の該一方の方向の幅Ｌ及び他方の方向の幅Ｍに対し、縮小率μをμ＝μ０｛Ｌ／（Ｌ−ａ１−ａ２）｝と決定し、該他方の方向における共通除去幅ｂをｂ＝ａ・Ｍ／Ｌと決定し、該複数の主部の画像データを該縮小率μで縮小し１頁に集約した画像データを得る、
ことを特徴とする請求項１に記載の画像形成装置。
【請求項４】
画像処理手段は、該入力手段により入力された該余白除去幅が原稿周辺部の横方向における２つの余白除去幅ａ１及びａ２並びに縦方向における２つの余白除去幅ｂ１及びｂ２である場合、原稿の横方向及び縦方向の幅Ｗ及びＨに対し、（ｂ１＋ｂ２）／（ａ１＋ａ２）＜Ｈ／Ｗであれば縮小率μをμ＝μ０｛Ｈ／（Ｈ−ｂ１−ｂ２）｝と決定し、（ｂ１＋ｂ２）／（ａ１＋ａ２）＞Ｈ／Ｗであれば縮小率μをμ＝μ０｛Ｗ／（Ｗ−ａ１−ａ２）｝と決定し、該複数の主部の画像データを該縮小率μで縮小し１頁に集約した画像データを得る、
ことを特徴とする請求項１に記載の画像形成装置。
【請求項５】
原稿画像を走査して画像データを取得する画像読取手段と、
該取得した画像データに基づいて、原稿周辺部の横方向における２つの余白幅α１及びα２並びに縦方向における２つの余白幅β１及びβ２を求める余白幅決定手段と、
α１，α２，β１及びβ２の値に応じてそれぞれα１＞ａ１＞０，α２＞ａ２＞０，β１＞ｂ１＞０及びβ２＞ｂ２＞０の条件を満たす該原稿周辺部の横方向における２つの余白除去幅ａ１及びａ２並びに縦方向における２つの余白除去幅ｂ１及びｂ２を決定し、複数の原稿画像の各々について周辺部を該余白除去幅に基づきオミットして主部の画像データを取得し、該画像データを縮小し１頁の画像配置領域に集約した画像データを得る画像処理手段と、
を有することにより、原稿画像に対する印刷画像の縮小率μを該余白除去幅が零の場合の縮小率μ０より大きな値にすることを特徴とする画像形成装置。
【請求項６】
画像処理手段は、原稿の横方向及び縦方向の幅Ｗ及びＨに対し、（ｂ１＋ｂ２）／（ａ１＋ａ２）＜Ｈ／Ｗであれば該縮小率μをμ＝μ０｛Ｈ／（Ｈ−ｂ１−ｂ２）｝と決定し、（ｂ１＋ｂ２）／（ａ１＋ａ２）＞Ｈ／Ｗであれば該縮小率μをμ＝μ０｛Ｗ／（Ｗ−ａ１−ａ２）｝と決定する、
ことを特徴とする請求項５に記載の画像形成装置。
【発明の詳細な説明】
【技術分野】
【０００１】
本発明は、用紙に画像を形成する複写機、プリンタ、ファクシミリ又は複合機等の画像形成装置に係り、特に、複数の原稿画像を縮小し１頁に集約する機能を備えた画像形成装置に関する。
【背景技術】
【０００２】
集約印刷機能を備えた画像形成装置では、２頁又は４頁の原稿画像を縮小し、１枚の用紙に集約して印刷するので、用紙使用量を大幅に節約でき、省資源化に寄与するところが大きい。
【０００３】
例えば従来の４ｉｎ１集約印刷では、図１０に示す如く、１頁の原稿画像２０が、印刷される用紙に対応した集約画像３０上の１／４の領域３１に縮小され、これが４頁分繰り返されて、図１１に示す如くなる。
【０００４】
下記特許文献１では、トナーセーブモードで集約印刷することにより、文字潰れを少なくすることが開示されている。
【０００５】
しかしながら、集約印刷により文字サイズが１／２又は１／４と大幅に小さくなり、さらに印字濃度が薄くなるので、視認性が悪化する。
【特許文献１】特開２００２−１６９４１７号
【発明の開示】
【発明が解決しようとする課題】
【０００６】
本発明の目的は、このような問題点に鑑み、集約印刷された画像の視認性を向上させることが可能な画像形成装置を提供することにある。
【課題を解決するための手段】
【０００７】
本発明による画像形成装置の第１態様では、複数の原稿画像を縮小し１頁に集約する機能を備えた画像形成装置において、
該複数の原稿画像の各々について周辺部をオミットした主部の画像データを縮小し１頁の画像配置領域（図８のように綴じ代を除いた領域であってもよい）に集約することにより、原稿画像に対する印刷画像の縮小率μを原稿のサイズと該画像配置領域のサイズと該複数とにより定まる縮小率μ０より大きな値にする。
【０００８】
本発明による画像形成装置の第２態様では、第１態様において、
原稿周辺部の横方向又は縦方向の一方の方向における共通除去幅ａを指定する入力手段と、
原稿の該一方の方向の幅Ｌ及び他方の方向の幅Ｍに対し、縮小率μをμ＝μ０｛Ｌ／（Ｌ−２ａ）｝と決定し、該他方の方向における共通除去幅ｂをｂ＝ａ・Ｍ／Ｌと決定し、該複数の主部の画像データを該縮小率μで縮小し１頁に集約した画像データを得る画像処理手段とを有する。
【０００９】
本発明による画像形成装置の第３態様では、第１態様において、
原稿周辺部の横方向又は縦方向の一方の方向における２つの余白除去幅ａ１及びａ２を指定する入力手段と、
原稿の該一方の方向の幅Ｌ及び他方の方向の幅Ｍに対し、縮小率μをμ＝μ０｛Ｌ／（Ｌ−ａ１−ａ２）｝と決定し、該他方の方向における共通除去幅ｂをｂ＝ａ・Ｍ／Ｌと決定し、該複数の主部の画像データを該縮小率μで縮小し１頁に集約した画像データを得る画像処理手段とを有する。
【００１０】
本発明による画像形成装置の第４態様では、第１態様において、
原稿周辺部の横方向における２つの余白除去幅ａ１及びａ２並びに縦方向における２つの余白除去幅ｂ１及びｂ２を指定する入力手段と、
原稿の横方向及び縦方向の幅Ｗ及びＨに対し、（ｂ１＋ｂ２）／（ａ１＋ａ２）＜Ｈ／Ｗであれば縮小率μをμ＝μ０｛Ｈ／（Ｈ−ｂ１−ｂ２）｝と決定し、（ｂ１＋ｂ２）／（ａ１＋ａ２）＞Ｈ／Ｗであれば縮小率μをμ＝μ０｛Ｗ／（Ｗ−ａ１−ａ２）｝と決定し、該複数の主部の画像データを該縮小率μで縮小し１頁に集約した画像データを得る画像処理手段とを有する。
【００１１】
本発明による画像形成装置の第５態様では、第１態様において、
原稿画像を走査して画像データを取得する画像読取手段と、
該取得した画像データに基づいて、原稿周辺部の横方向における２つの余白幅α１及びα２並びに縦方向における２つの余白幅β１及びβ２を求める余白幅決定手段と、
α１，α２，β１及びβ２の値に応じてそれぞれα１＞ａ１＞０，α２＞ａ２＞０，β１＞ｂ１＞０及びβ２＞ｂ２＞０の条件を満たす該原稿周辺部の横方向における２つの余白除去幅ａ１及びａ２並びに縦方向における２つの余白除去幅ｂ１及びｂ２を決定し、原稿の横方向及び縦方向の幅Ｗ及びＨに対し、（ｂ１＋ｂ２）／（ａ１＋ａ２）＜Ｈ／Ｗであれば縮小率μをμ＝μ０｛Ｈ／（Ｈ−ｂ１−ｂ２）｝と決定し、（ｂ１＋ｂ２）／（ａ１＋ａ２）＞Ｈ／Ｗであれば縮小率μをμ＝μ０｛Ｗ／（Ｗ−ａ１−ａ２）｝と決定し、該複数の主部の画像データを該縮小率μで縮小し１頁に集約した画像データを得る画像処理手段とを有する。
【発明の効果】
【００１２】
上記第１態様の構成によれば、複数の原稿画像の各々について周辺部をオミットした主部の画像データを縮小し１頁の画像配置領域に集約することにより、原稿画像に対する印刷画像の縮小率μを原稿のサイズと該画像配置領域のサイズと該複数とにより定まる縮小率μ０より大きな値にするので、印刷された集約画像の視認性が向上し、集約印刷の利用者増大及びこれによる省資源化に寄与するところが大きい。
【００１３】
上記第２態様の構成によれば、左右上下の４つの余白除去幅のいずれか１つのみ設定すればよく、他は自動的に設定されるので、操作性がよい。
【００１４】
上記第３態様の構成によれば、左右上下の４つの余白除去幅のうち一対の余白除去幅を設定することにより、より細かな集約印刷処理を行うことが可能となる。
【００１５】
上記第４態様の構成によれば、縦方向と横方向の余白除去幅を設定することにより、除去しすぎないように一方の方向の余白除去幅が自動的に選択されるので、印刷ミスの発生を防止することができる。
【００１６】
上記第５態様の構成によれば、左右上下の余白幅が自動的に求められ、これに応じて左右上下の余白除去幅が自動的に決定されるので、操作性がよい。
【００１７】
本発明の他の目的、構成及び効果は以下の説明から明らかになる。
【実施例１】
【００１８】
図１は、本発明の実施例１に係る画像形成装置のハードウェア構成を示す概略ブロック図である。
【００１９】
画像形成装置１０は、プロセッサにメモリが結合された構成を含む制御装置１１を備え、このプロセッサにはさらに、インタフェースを介しオートシートフィーダ１２、スキャナ１３、メモリ１４、プリンタ１５、ハードディスク装置１６及び操作パネル１７が結合されている。
【００２０】
オートシートフィーダ１２により搬送される原稿の画像は、スキャナ１３により読み取られて、メモリ１４に格納され、処理される。
【００２１】
プリンタ１５は、給紙部、画像形成手段、定着器及び用紙搬送手段を備え、画像形成手段は、制御装置１１で処理された画像データに基づいて、感光ドラム上にトナー像を形成し、給紙部からの用紙にトナー像を転写させ、定着器は、このトナー像を用紙に定着させ、用紙搬送手段は、用紙を給紙部から画像形成手段へ搬送し、次いで定着器へ搬送し、さらにトレイ上に排紙させる。
【００２２】
ハードディスク装置１６には、ＯＳ、アプリケーションプログラム及びデータが格納される。
【００２３】
操作パネル１７は、例えばタッチパネルであり、ユーザに対し各種設定を行わせるととに情報を表示するためのものである。
【００２４】
図２に示す如く、原稿画像２０の横及び縦の長さ（画素数）をそれぞれＷ及びＨ、原稿画像２０の周辺部余白の左右上下部の幅（画素数）をそれぞれα１、α２、β１及びβ２と表記する。また、この余白のうち、オミットしようとする点線の外側の左右上下部の幅（画素数）をそれぞれ余白除去幅ａ１、ａ２、ｂ１及びｂ２と表記する。
【００２５】
次に、図３及び図４を参照して、本実施例１の方法の原理を説明する。
【００２６】
原稿画像２０から余白除去部２１をオミットした主部２２を、図３に示す如く、集約画像３０の領域３１のサイズに縮小する。４頁の原稿画像をこのように縮小し、１頁に集約すると、図４に示す如くなり、図１０の場合よりも縮小率が大きくなるので、印刷された文字のサイズが大きくなり、視認性が向上する。
【００２７】
余白部分が従来よりも狭くなるが、４つの縮小画像配置領域の余白部分が互いに隣り合って２倍になるので、余白が狭くなることによる見辛さよりも、縮小率が大きくなることによる見易さのほうが勝っている。
【００２８】
本実施例１では、余白除去幅を手動設定する。余白除去幅ａ１、ａ２、ｂ１及びｂ２のすべてを設定するのが最も好ましいが、ユーザによっては、できるだけ簡単な設定又は原稿の余白サイズに応じた任意性のある設定を望む。そこで、本実施例１では、ユーザが以下に説明する６通りの設定方法のいずれを選択しても、集約印刷ができるようにしている。
【００２９】
第１の方法では、横方向の余白除去幅ａのみを設定し、ａ１＝ａ２＝ａとすることにより、手動による設定値を１つにし、余白除去幅ｂ１及びｂ２については、ｂ１＝ｂ２とし、主部２２が原稿画像２０と相似であることに基づいて、余白除去幅ｂ１及びｂ２を計算により求める。
【００３０】
図５は、制御装置１１の処理を示すフローチャートであり、前記第１の方法は、図５のステップＳ０〜Ｓ３及びＳ５により、以下のように実施される。
【００３１】
（Ｓ０）図１の操作パネル１７を操作して、原稿画像２０の横方向における左右共通の余白除去幅ａを設定する。
【００３２】
（Ｓ１）ステップＳ０での設定値が１つであればステップＳ２へ進み、そうでなければステップＳ６へ進む。
【００３３】
（Ｓ３）縮小率μ及び縦方向の共通余白除去幅ｂを次式により求める。
【００３４】
μ＝μ０｛Ｗ／（Ｗ−２ａ）｝
ｂ＝ａ・Ｈ／Ｗ
ここに、μ０は、余白除去幅が０である場合の縮小率であって、図１０の４ｉｎ１ではμ０＝１／２である。
【００３５】
（Ｓ５）ａ１＝ａ２＝ａ、ｂ１＝ｂ２＝ｂとして、４つの余白除去幅ａ１、ａ２、ｂ１及びｂ２を決定する。
【００３６】
次に第２の方法では、縦方向の余白除去幅ｂのみを設定し、ｂ１＝ｂ２＝ｂとすることにより、手動による設定値を１つにし、余白除去幅ａ１及びａ２については、ａ１＝ａ２とし、主部２２が原稿画像２０と相似であることに基づいて、余白除去幅ａ１及びａ２を計算により求める。
【００３７】
この第２の方法は、図５のステップＳ０〜Ｓ２、Ｓ４及びＳ５により実施される。すなわち、第１の方法において、ステップＳ３の替わりに次のステップＳ４が実行される。
【００３８】
（Ｓ４）縮小率μ及び縦方向の共通余白除去幅ａを次式により求める。
【００３９】
μ＝μ０｛Ｈ／（Ｈ−２ｂ）｝
ａ＝ｂ・Ｗ／Ｈ
次に第３の方法では、横方向の余白除去幅ａ１及びａ２を設定し、余白除去幅ｂ１及びｂ２については、ｂ１＝ｂ２とし、主部２２が原稿画像２０と相似であることに基づいて、余白除去幅ｂ１及びｂ２を計算により求める。
【００４０】
この第３の方法は、図５のステップＳ０、Ｓ１、Ｓ６〜Ｓ８により実施される。すなわち、第１の方法のステップＳ３及びＳ５の替わりに次のステップＳ８及びＳ９が実行される。
【００４１】
（Ｓ８）縮小率μ及び縦方向の共通余白除去幅ｂを次式により求める。
【００４２】
μ＝μ０｛Ｗ／（Ｗ−ａ１−ａ２）｝
ｂ＝｛（ａ１＋ａ２）／２｝Ｈ／Ｗ
（Ｓ９）ｂ１＝ｂ２＝ｂとして、余白除去幅ｂ１及びｂ２を決定する。
【００４３】
次に第４の方法では、縦方向の余白除去幅ｂ１及びｂ２を設定し、余白除去幅ａ１及びａ２については、ａ１＝ａ２とし、主部２２が原稿画像２０と相似であることに基づいて、余白除去幅ａ１及びａ２を計算により求める。
【００４４】
この第４の方法は、図５のステップＳ０、Ｓ１、Ｓ６、Ｓ７、Ｓ１０及びＳ１１により実施される。すなわち、第３の方法のステップＳ８及びＳ９の替わりに、次のステップＳ１０及びＳ１１が実行される。
【００４５】
（Ｓ１０）縮小率μ及び縦方向の共通余白除去幅ｂを次式により求める。
【００４６】
μ＝μ０｛Ｗ／（Ｗ−ｂ１−ｂ２）｝
ａ＝｛（ｂ１＋ｂ２）／２｝Ｗ／Ｈ
（Ｓ１１）ａ１＝ａ２＝ａとして、余白除去幅ａ１及びａ２を決定する。
【００４７】
次に第５の方法では、横方向及び縦方向の余白除去幅ａ及びｂを設定し、主部２２が原稿画像２０と相似であることに基づいて、除去し過ぎない方の余白除去幅を選択することにより、上記第１又は第２の方法に移行する。
【００４８】
この第５の方法は、図５のステップＳ０、Ｓ１、Ｓ６、Ｓ７及びＳ１２を通り、ステップＳ１２でｂ／ａ＞Ｈ／Ｗであればａを選択してステップＳ３へ進み、そうでなければｂを選択してステップＳ４へ進む。
【００４９】
この方法によれば、最初から第１又は第２の方法を選択することにより余白幅を除去し過ぎるのを、防止することができる。
【００５０】
次に第６の方法では、全ての余白除去幅ａ１、ａ２、ｂ１及びｂ２を設定し、主部２２が原稿画像２０と相似であることに基づいて、除去し過ぎない余白除去幅ａ１とａ２の組又は余白除去幅ｂ１とｂ２の組の一方を選択することにより、上記第３又は第４の方法に移行する。
【００５１】
この第６の方法は、図５のステップＳ０、Ｓ１及びＳ６を通り、ステップＳ１３で（ｂ１＋ｂ２）／（ａ１＋ａ２）＞Ｈ／Ｗであれば余白除去幅ａ１とａ２の組を選択してステップＳ８へ進み、そうでなければ余白除去幅ｂ１とｂ２の組を選択してステップＳ１０へ進む。
【００５２】
この方法によれば、最初から第３又は第４の方法を選択することにより余白幅を除去し過ぎるのを、防止することができる。
【００５３】
以上のような６通りのいずれかの設定で、全ての余白除去幅ａ１、ａ２、ｂ１及びｂ２を決定すると、すなわち上述のステップＳ５、Ｓ９又はＳ１１までの処理を終了すると、ステップＳ１４へ進む。
【００５４】
（Ｓ１４）オートシートフィーダ１２及びスキャナ１３を駆動させて原稿画像を読み取り、メモリ１４に格納させる。第１頁の原稿画像を読取完了すると、ステップＳ１６〜Ｓ１８のスレッドを生成して起動することにより、画像入力処理と画像処理とを並行処理して、スループットを向上させる。
【００５５】
（Ｓ１５）オートシートフィーダ１２に備えられた原稿センサが原稿有りを検出していればステップＳ１４へ戻り、そうでなければメインスレッドを終了する。
【００５６】
（Ｓ１６、Ｓ１７）メモリ１４に格納された原稿画像２０のデータのうち、主部２２のデータについて、縮小率がμになるように縮小処理し、これを、集約した頁の一部の画像データとして配置する。例えば４ｉｎ１の場合には、連続する４頁分の縮小画像を配置する毎に、１頁分の集約画像データが得られる。
【００５７】
第１頁の集約画像データが得られると、画像出力処理を他の処理と並行処理するため、ステップＳ１９及びＳ２０のスレッドを生成して起動させる。
【００５８】
（Ｓ１８）未処理があればステップＳ１６へ戻り、そうでなければこのスレッドを終了する。
【００５９】
（Ｓ１９、Ｓ２０）集約した画像データを頁単位でプリンタ１５に供給して、用紙に画像を形成させ、全頁について画像を形成させると、このスレッドを終了する。
【００６０】
本実施例１によれば、複数の原稿画像の各々について周辺部をオミットした主部の画像データを縮小し１頁の画像配置領域に集約することにより、原稿画像に対する印刷画像の縮小率μを原稿のサイズと該画像配置領域のサイズと該複数とにより定まる縮小率μ０より大きな値にするので、印刷された集約画像の視認性が向上する。
【００６１】
また、上記６通りのいずれかで余白除去幅を設定すればよく、使い勝手がよい。また、左右上下の４つの余白除去幅のいずれか１つのみ設定してもよく、他は自動的に設定されるので、操作性がよい。
【００６２】
さらに、縦方向と横方向の余白除去幅を設定すれば、除去しすぎないように一方の方向の余白除去幅が自動的に選択されるので、印刷ミスの発生を防止することができる。
［実施例２］
本実施例２では、余白除去幅を自動設定する。
【００６３】
まず、メモリ１４に格納された原稿画像のデータを処理して、図２に示す周辺左右上下の余白幅α１、α２、β１及びβ２を求める。これは、図６に示す方法により、容易に求めることができる。
【００６４】
すなわち、原稿画像２０の４辺の各々について、その辺に平行に画素を副走査しながら対向辺側へ主走査し、１行副走査する際に画素値の累積加算値ＬＶを求め、これが閾値Ｌthを超えた時点までの副走査ライン数から１を引いた値を、余白幅として求める。
【００６５】
例えば、余白幅α１を求める場合には、原稿画像２０の横方向について左端側から右端側への画素位置ごとに、これと直角な方向の画素ライン２０１に沿って画素値を累積加算した値ＬＶ、すなわち濃度投影値ＬＶを求める。ＬＶ＞Ｌthとなれば、横方向位置の左端からの画素数−１を余白幅α１として求める。余白幅α２は、原稿画像２０の右端側から同様の処理を行うことにより求めることができる。
【００６６】
余白幅β１を求める場合には、原稿画像２０の縦方向について上端側から下端側への画素位置ごとに、これと直角な方向の画素ライン２０２に沿って画素値を累積加算した値ＬＶを求め、ＬＶ＞Ｌthとなれば、縦方向位置の上端からの画素数−１を余白幅β１として求める。余白幅β２は、原稿画像２０の下端側から同様の処理を行うことにより求めることができる。
【００６７】
図２の左右上下の余白除去幅ａ１、ａ２、ｂ１及びｂ２はそれぞれ、左右上下の余白幅α１、α２、β１及びβ２に削除比ｒを乗ずることにより決定する。
【００６８】
図７は、本実施例２に係る制御装置１１の処理を示すフローチャートである。
【００６９】
（Ｓ３０）図１の操作パネル１７を操作して、削除比ｒを設定する。この設定を行わなかった場合には、ハードディスク装置１６に格納された既定値が用いられる。
【００７０】
（Ｓ３１）上述のようにして、左右上下の余白幅α１、α２、β１及びβ２を求める。
【００７１】
（Ｓ３２）余白除去幅ａ１＝α１＊ｒ、ａ２＝α２＊ｒ、ｂ１＝β１＊ｒ及びｂ２＝β２＊ｒを求める。
【００７２】
これにより、余白除去幅ａ１、ａ２及びｂ１、余白除去幅ｂ２が自動設定されたことになるので、以下は、図５のステップＳ１３以下と同じ処理を行えばよい。ただし、この実施例２では、図５のステップＳ９及びＳ１１の代わりに、ステップＳ３３及びＳ３４の処理を行うことにより、余白除去幅をより細かく決定している（図５においても、このようにすることができる）。
【００７３】
本実施例３によれば、原稿画像の余白の一部を除去して集約画像を得るとともに、集約画像の綴じ代を確保することができる。
【００７４】
同様に、ステップＳ３４では、ステップＳ１０で求めたａを用いてｋ＝ａ／（ａ１＋ａ２）を求め、余白除去幅ａ１及びａ２をそれぞれｋ倍して新たな余白除去幅ａ１及びａ２とすることにより、主部２２を原稿画像２０と相似形にするとともに、余白除去幅ａ１とａ２の比が余白幅α１とα２の比に等しくなるようにしている。
【００７５】
本実施例２によれば、左右上下の余白幅が自動的に求められ、これに応じて左右上下の余白除去幅が自動的に決定されるので、実施例１の場合よりも操作性がよい。
【００７６】
［実施例３］
上記実施例では、例えば４ｉｎ１の場合、図３に示すように集約画像３０を単に４分割した領域３１に、主部２２を縮小して配置する場合を説明したが、集約頁に綴じ代を形成したい場合がある。
【００７７】
そこで、本実施例３では、図８に示すように画像配置領域を集約画像３０より狭くして綴じ代を形成し、画像配置領域を４分割した領域３１Ａに主部２２を縮小して配置する。これを４頁分について行うと、図９に示すような集約画像が得られる。この方法は、上記実施例１又は実施例２と同様な方法で行うことができることが以上の説明から容易に理解できるので、その説明を省略する。
【００７８】
本実施例２によれば、原稿画像の余白の一部を除去して集約画像を得るとともに、集約画像の綴じ代を確保することができる。
【００７９】
なお、本発明には外にも種々の変形例が含まれる。
【００８０】
例えば、左右上下の余白除去幅ａ１、ａ２、ｂ１及びｂ２をそれぞれ、左右上下の余白幅α１、α２、β１及びβ２に削除比ｒを乗ずることにより決定する替わりに、余白幅α１、α２、β１及びβ２から所定の余白残存幅を差し引くことにより、左右上下の余白除去幅ａ１、ａ２、ｂ１及びｂ２を決定する構成であってもよい。
【００８１】
また、スキャナ１３から出力される画像データのうち、余白除去幅に相当する画像データをオミットしてメモリ１４に格納する構成であってもよい。
【００８２】
さらに、スキャナ１３側で画像を走査しながら余白幅を計測する構成であってもよい。
【００８３】
また、本発明の適用範囲はコピー処理に限定されず、プリント処理やファクシミリ処理等にも適用可能である。コピー処理の場合、請求項との関係では、画像形成装置がコンピュータから受信する画像データが原稿画像のデータである。
【図面の簡単な説明】
【００８４】
【図１】本発明の実施例１に係る画像形成装置のハードウェア構成を示す概略ブロック図である。
【図２】原稿画像、周辺部余白部、余白除去部及び主部の幅の表記説明図である。
【図３】原稿画像から余白除去部をオミットした主部を縮小配置する説明図である。
【図４】図３の処理を原稿画像４頁分繰り返すことにより得られる集約画像の説明図である。
【図５】図１の制御装置の集約印刷処理を示すフローチャートである。
【図６】本発明の実施例２に係る、画像処理による余白幅自動計測説明図である。
【図７】本発明の本実施例２に係る制御装置の余白幅自動決定集約印刷処理を示すフローチャートである。
【図８】本発明の本実施例３に係る、綴じ代を形成する場合の集約処理説明図である。
【図９】図８の処理を原稿画像４頁分繰り返すことにより得られる集約画像の説明図である。
【図１０】従来の集約処理説明図である。
【図１１】図１０の処理を原稿画像４頁分繰り返すことにより得られる集約画像の説明図である。
【符号の説明】
【００８５】
１０  画像形成装置
１１  制御装置
１２  オートシートフィーダ
１３  スキャナ
１４  メモリ
１５  プリンタ
１６  ハードディスク装置
１７  操作パネル
２０  原稿画像
２０１、２０２  画素ライン
２１  余白除去部
２２  主部
３０  集約画像
３１、３１Ａ  縮小画像配置領域
ａ１、ａ２、ｂ１、ｂ２  余白除去幅
ｒ  削除比
ｋ  補正係数
【図１】
0004491659.tif 000002
【図２】
0004491659.tif 000003
【図３】
0004491659.tif 000004
【図４】
0004491659.tif 000005
【図５】
0004491659.tif 000006
【図６】
0004491659.tif 000007
【図７】
0004491659.tif 000008
【図８】
0004491659.tif 000009
【図９】
0004491659.tif 000010
【図１０】
0004491659.tif 000011
【図１１】
0004491659.tif 000012